(57)【要約】  室内機との間で冷媒を循環させるのに利用される冷媒配管が接続され、圧縮機及び室外熱交換器が搭載された室外機であって、圧縮機及び室外熱交換器の下側に配置され、圧縮機及び室外熱交換器を支持する矩形状の底面パネルと、底面パネルの周縁部上に配置され、底面パネルに立設する周面パネルと、周面パネルの内側に位置するように底面パネルの角部に配置され、底面パネルに立設する固定パネルと、固定パネルに固定され、冷媒配管が接続されるバルブと、を備えたものである。
2016103441.tif 000002
【特許請求の範囲】
【請求項１】
室内機との間で冷媒を循環させるのに利用される冷媒配管が接続され、圧縮機及び室外熱交換器が搭載された室外機であって、
前記圧縮機及び前記室外熱交換器の下側に配置され、前記圧縮機及び前記室外熱交換器を支持する矩形状の底面パネルと、
前記底面パネルの周縁部上に配置され、前記底面パネルに立設する周面パネルと、
前記周面パネルの内側に位置するように前記底面パネルの角部に配置され、前記底面パネルに立設する固定パネルと、
前記固定パネルに固定され、前記冷媒配管が接続されるバルブと、
を備えた
室外機。
【請求項２】
前記室外熱交換器に付設され、前記室外機に空気を供給する送風機と、
前記室外熱交換器及び前記送風機が配置される側と前記圧縮機及び前記バルブが配置される側とを仕切るように配置された仕切板とをさらに備え、
前記固定パネルは、
前記圧縮機が配置される側の空間と、前記バルブが配置される側の空間とを仕切るように構成されている
請求項１に記載の室外機。
【請求項３】
前記底面パネルの周縁部上に配置され、前記バルブを覆うように前記固定パネルの対向位置に設けられたカバーをさらに備え、
前記カバーは、
前記バルブに接続される前記冷媒配管を引き出すのに利用される引出部が形成されている
請求項１又は２に記載の室外機。
【請求項４】
前記周面パネルは、
前記底面パネルの周縁部に設けられ、前記カバーが付設されている側面パネルと、
側端部に前記側面パネルが設けられるとともに前記カバーが付設され、前記底面パネルの周縁部に設けられた前面パネルとを含む
請求項３に記載の室外機。
【請求項５】
前記室外熱交換器の上部を覆うように、前記周面パネルの上端部に設けられた天面パネルをさらに備え、
前記固定パネル、前記カバー及び前記側面パネルのそれぞれは、
前記底面パネルから前記天面パネルにかけて延びるように設けられている
請求項４に記載の室外機。
【請求項６】
前記前面パネルは、
前記側面パネル側の端部の下側に前面切欠部が形成され、
前記側面パネルは、
前記側端部の下側に側面切欠部が形成され、
前記固定パネルは、
前記底面パネル側から前記前面切欠部及び前記側面切欠部の上端の高さ位置まで延びるように設けられ、
前記カバーは、
前記前面切欠部及び前記側面切欠部に設けられている
請求項４に記載の室外機。
【請求項７】
前記固定パネルの上端部、前記前面切欠部及び前記側面切欠部に接続され、前記バルブの上側に配置された屋根パネルをさらに備えた
請求項６に記載の室外機。
【請求項８】
前記室外熱交換器の端部は、
前記側面パネルの一方の側端部に対向するように設けられ、
前記底面パネルは、
前記室外熱交換器の端部に対応する部分に形成され、水平方向に突出する第１の突出部を含み、
前記第１の突出部の縁部は、
前記底面パネルのうち前記バルブの下側に位置する部分に向かうテーパー面が形成され、
前記側面パネルは、
前記第１の突出部の縁部に沿うように形成されている
請求項４〜７のいずれか一項に記載の室外機。
【請求項９】
前記底面パネルは、
前記固定パネルが設けられている側の前記周縁部に形成され、水平方向の前側に突出する第２の突出部を含み、
前記バルブは、
前記第２の突出部の上側に配置されている
請求項４〜８のいずれか一項に記載の室外機。
【発明の詳細な説明】
【技術分野】
【０００１】
本発明は、冷凍サイクル装置の室外機に関するものである。
【背景技術】
【０００２】
従来、空気調和装置などの冷凍サイクル装置の室外機において、筐体内部には、たとえば圧縮機、熱交換器及び送風機などが収納されている。また、空気調和装置の室外機は、熱交換器及び送風機などが収容された室内機に冷媒配管を介して接続されている。そして、空気調和装置は、送風機が駆動すると熱交換器に外気が供給され、また、圧縮機が駆動すると冷媒が室内機と室外機との間を循環する。【０００３】
特許文献１に記載の室外機は、底面パネルの形状が長方形であり、その短辺に対応する位置に平板状の側面パネルが設けられている。側面パネルは、筐体の一方の側面の筐体を構成するものであり、室内機側から引き回された冷媒配管が接続されるバルブが設けられている。
【先行技術文献】
【特許文献】
【０００４】
【特許文献１】特開平５−１３３５７１号公報
【発明の概要】
【発明が解決しようとする課題】
【０００５】
空気調和装置の室外機は、一般的には、屋外に設置される。たとえば、マンションに室外機を設置する場合には、室外機はベランダに設置されることになる。戸建ての家屋では、庭などといったように室外機の設置スペースを確保しやすいが、マンションのベランダでは、戸建ての家屋などと比較すると狭いことが多く、設置スペースに制限が生じやすい。このように、屋内に設置される室内機に限らず、屋外に設置される室外機においても、サイズを小さくしたいという要望がある。【０００６】
室外機には、冷媒配管が接続されるバルブが設けられているが、バルブを設ける位置によっては室外機の大型化に繋がるという課題がある。【０００７】
本発明は、以上のような課題を解決するためになされたもので、サイズを小さくすることができる室外機を提供することを目的としている。
【課題を解決するための手段】
【０００８】
本発明に係る室外機は、室内機との間で冷媒を循環させるのに利用される冷媒配管が接続され、圧縮機及び室外熱交換器が搭載された室外機であって、圧縮機及び室外熱交換器の下側に配置され、圧縮機及び室外熱交換器を支持する矩形状の底面パネルと、底面パネルの周縁部上に配置され、底面パネルに立設する周面パネルと、周面パネルの内側に位置するように底面パネルの角部に配置され、底面パネルに立設する固定パネルと、固定パネルに固定され、冷媒配管が接続されるバルブと、を備えたものである。
【発明の効果】
【０００９】
本発明に係る室外機によれば、上記構成を備えているので、サイズを小さくすることができる。
【図面の簡単な説明】
【００１０】
【図１】本発明の実施の形態に係る室外機を備えた冷凍サイクル装置の模式図である。
【図２Ａ】本発明の実施の形態に係る室外機の斜視図である。
【図２Ｂ】本発明の実施の形態に係る室外機を分解した状態の斜視図である。
【図２Ｃ】本発明の実施の形態に係る室外機の水平断面図である。
【図２Ｄ】図２Ｃに示す領域Ｂの拡大図である。
【図３Ａ】本発明の実施の形態に係る室外機の変形例１の斜視図である。
【図３Ｂ】図３Ａに示す変形例１に係る室外機を分解した状態の斜視図である。
【図３Ｃ】変形例２に係る室外機の水平断面図である。
【図３Ｄ】変形例２に係る室外機のカバーを外した状態における説明図である。
【図４Ａ】本発明の実施の形態に係る室外機の変形例２の斜視図である。
【図４Ｂ】図４Ａに示す変形例２に係る室外機を分解した状態の斜視図である。
【図４Ｃ】変形例２に係る室外機の水平断面図である。
【図４Ｄ】変形例２に係る室外機のカバーを外した状態における説明図である。
【図４Ｅ】変形例２に係る室外機の説明図であって、カバーを取り付けている状態における説明図である。
【図５Ａ】本発明の実施の形態に係る室外機の変形例３の正面図である。
【図５Ｂ】変形例３に係る室外機の水平断面図である。
【図５Ｃ】図５Ｂに示す領域Ｂの拡大図である。
【図５Ｄ】変形例３に係る室外機のカバーを外した状態における説明図である。
【発明を実施するための形態】
【００１１】
以下、発明の実態に係る室外機１００について、図面などを参照しながら説明する。ここで、図１を含め、以下の図面において、同一の符号を付したものは、同一、またはこれに相当するものであり、以下に記載する実施の形態において共通である。
【００１２】
実施の形態．
図１は、本実施の形態に係る室外機１００を備えた空気調和装置２００の模式図である。図１（ａ）は、空気調和装置２００の冷媒回路構成の一例を示し、図１（ｂ）では、室外機１００と室内機１５０とが冷媒配管Ｐで接続されている様子を示している。なお、本実施の形態では、冷凍サイクル装置が空気調和装置２００である場合の例を説明する。
【００１３】
［空気調和装置２００について］
空気調和装置２００は、室内機１５０と室外機１００とを有し、これらが冷媒配管Ｐで接続されて構成されている。室内機１５０は、冷房運転時に蒸発器として機能し、暖房運転時に凝縮器として機能する室内熱交換器１５１などを有している。そして、室外機１００で生成された冷熱あるいは温熱は、冷媒配管Ｐを介して室内機１５０に配送されるようになっている。
【００１４】
室外機１００は、たとえばビル、マンション、戸建て家屋などの外に配置され、冷媒配管Ｐを介して室内機１５０に冷熱又は温熱を供給するものである。室外機１００には、冷媒を圧縮する圧縮機４、流路を切り替える四方弁８、冷媒を減圧させる絞り装置９、空気と冷媒とを熱交換する室外熱交換器２、及び、室外熱交換器２に空気を供給する送風機３などが搭載されている。
室内機１５０は、たとえば室内などのように空調対象空間に冷房用空気、又は暖房用空気を供給できる位置に配置され、空調対象空間に冷房用空気、又は暖房用空気を供給するものである。室内機１５０は、空気と冷媒とを熱交換する室内熱交換器１５１、及び室内熱交換器１５１に空気を供給する送風機１５２が搭載されている。
【００１５】
ここで、室内熱交換器１５１、四方弁８及び絞り装置９について説明する。室内熱交換器１５１は、送風機１５２によって室内機１５０に取り込まれる室内空気と冷媒との間で熱交換を行わせ、暖房運転時に冷媒を凝縮液化させ、冷房運転時に冷媒を蒸発ガス化させるものである。四方弁８は、暖房運転時における冷媒の流れと、冷房運転及び除霜運転時における冷媒の流れを切り替えるものである。この四方弁８は、暖房運転時において、圧縮機４の吐出側と室内熱交換器１５１を接続するとともに、圧縮機４の吸引側と室外熱交換器２を接続する。また、冷房運転及び除霜運転時において、圧縮機４の吐出側と室外熱交換器２を接続するとともに、圧縮機４の吸引側と室内熱交換器１５１を接続する。絞り装置９は、冷媒回路を流通する冷媒を減圧して膨張させるものである。絞り装置９は、一方が室外熱交換器２に接続され、他方が室内熱交換器１５１に接続されている。この絞り装置９は、開度が可変に制御可能なもの、たとえば電子式膨張弁などで構成するとよい。なお、その他の構成（圧縮機４など）については、後で説明する。
【００１６】
次に、図１（ａ）を参照しながら、同図で示される冷媒回路の冷凍サイクル動作について説明する。ここでは、暖房運転についての冷媒の流れを説明する。暖房運転開始時には、四方弁８は、図１（ａ）に示すように流路が切り替えられる。圧縮機４によって圧縮され吐出された気体冷媒は、四方弁８を経由して、室内熱交換器１５１に流入する。この室内熱交換器１５１に流入した気体冷媒は、送風機１５２から供給される室内空気と熱交換を実施して凝縮し、室内熱交換器１５１から流出する。この室内熱交換器１５１から流出した冷媒は、絞り装置９に流入し、この絞り装置９によって膨張され減圧される。減圧された冷媒は、室外熱交換器２に流入し、送風機３から供給される室外空気と熱交換が実施されて気化し、室外熱交換器２から流出する。この室外熱交換器２から流出した気体冷媒は、四方弁８を介して圧縮機４に吸引される。
【００１７】
［室外機１００について］
図２Ａは、本実施の形態に係る室外機１００の斜視図である。図２Ｂは、本実施の形態に係る室外機１００を分解した状態の斜視図である。図２Ｃは、本実施の形態に係る室外機１００の水平断面図である。図２Ｄは、図２Ｃに示す領域Ｂの拡大図である。
室外機１００は、冷房運転時に凝縮器として機能し、暖房運転時に蒸発器として機能する室外熱交換器２などを有しているものである。以下の説明では、前面パネル１Ｂを室外機の前面（正面）と規定し、正面に向かって第１の側面パネル１ＣＣが配置されている側を左側と規定し、正面に向かって第２の側面パネル１Ｃが配置されている側を右側と規定している。
【００１８】
室外機１００の筐体は、室外機１００の上面を構成する天面パネル１Ａと、室外機１００の前面を構成する前面パネル１Ｂと、室外機１００の左側面を構成する第１の側面パネル１ＣＣと、室外機１００の右側面を構成する第２の側面パネル１Ｃと、前面パネル１Ｂに設けられ、室外機１００の前面の一部を構成するファングリル１Ｂ２と、室外機１００の底面を構成する底面パネル１Ｅとを含むものである。ここで、第１の側面パネル１ＣＣ、前面パネル１Ｂ、及び第２の側面パネル１Ｃが、周面パネルに対応する構成である。すなわち、周面パネルは、底面パネル１Ｅの周縁部１Ｅ１上に配置され、底面パネル１Ｅに立設するものである。
また、室外機１００は、室外機１００内の空間を左側と右側に区画する仕切板５、冷媒を圧縮して吐出する圧縮機４、水平断面形状がＬ字状の室外熱交換器２、室外熱交換器２に外気を供給する送風機３、及び、送風機３を保持するモーターサポート３Ａなどが搭載されている。その他に、室外機１００には、四方弁８、及び圧縮機４の回転数を制御する制御装置などが設けられた電気品箱６も搭載されている。
さらに、室外機１００は、周面パネルの内側に位置するように底面パネル１Ｅの角部Ｃに配置され、底面パネル１Ｅに立設する固定パネル１Ｆと、固定パネル１Ｆに固定され、冷媒配管Ｐが接続されるバルブ７と、バルブ７を覆うように取り付けられるカバー１Ｄとを備えている。
【００１９】
（天面パネル１Ａ）
天面パネル１Ａは、室外機１００の上面を構成するものである。天面パネル１Ａは、室外熱交換器２の上部を覆うように、周面パネルの上端部に設けられたものである。天面パネル１Ａは、前側端部及び左側端部が、前面パネル１Ｂ及び第１の側面パネル１ＣＣに接触して支持されて設けられ、右側端部が第２の側面パネル１Ｃに接触して支持されて設けられている。天面パネル１Ａは、たとえば金属板などから構成される。
【００２０】
（前面パネル１Ｂ及び第１の側面パネル１ＣＣ）
前面パネル１Ｂは、室外機１００の前面の一部を構成するものである。前面パネル１Ｂは、左側の側端部に第１の側面パネル１ＣＣが設けられ、右側の側端部にカバー１Ｄが設けられている。また、前面パネル１Ｂは、右側の側端部にカバー１Ｄが付設される。なお、本実施の形態において、第１の側面パネル１ＣＣと前面パネル１Ｂとは連結して一体的に構成されている。
前面パネル１Ｂは、下端部が底面パネル１Ｅの周縁部１Ｅ１上に設けられており、また、上端部に天面パネル１Ａが設けられている。また、前面パネル１Ｂのうち前面構成部分の右側端部は、第２の側面パネル１Ｃの前側の側端部に沿うように設けられている。さらに、前面パネル１Ｂには、たとえば外気吸込口となる円形の開口部１Ｂ１が形成されている。なお、ファングリル１Ｂ２は、開口部１Ｂ１の形成位置に対向するように設けられている。前面パネル１Ｂは、たとえば樹脂などで構成される。
【００２１】
第１の側面パネル１ＣＣは、底面パネル１Ｅの周縁部１Ｅ１に設けられている。そして、第１の側面パネル１ＣＣは、底面パネル１Ｅの一方の短辺に対応する部分に設けられている。第２の側面パネル１Ｃは、第１の側面パネル１ＣＣの対向位置に配置されている。第１の側面パネル１ＣＣの前側の側面部は、カバー１Ｄの側端部に沿うように設けられている。第１の側面パネル１ＣＣには、室外熱交換器２に空気が供給されるように複数の開口部が形成されている。
【００２２】
（第２の側面パネル１Ｃ）
第２の側面パネル１Ｃは、室外機１００の後面の一部及び右側面を構成するものである。この第２の側面パネル１Ｃは、水平断面形状が略Ｌ字であって底面パネル１Ｅに鉛直に立設され、圧縮機４の側方及び後側に配置されているものである。第２の側面パネル１Ｃは、前側端部がカバー１Ｄの側端部に沿うように設けられ、上端部が天面パネル１Ａと接触して設けられ、下端部が底面パネル１Ｅと接触して設けられている。第２の側面パネル１Ｃは、たとえばＡＢＳ樹脂などで構成される。
【００２３】
（ファングリル１Ｂ２）
ファングリル１Ｂ２は、室外機１００の前面の一部を構成し、ユーザーなどが、送風機３でケガをすることなどを防止するのに利用されるものである。このファングリル１Ｂ２は、たとえば縦桟と横桟からなる格子状部材である。
【００２４】
（底面パネル１Ｅ）
底面パネル１Ｅは、室外機１００の底面の一部を構成するものである。底面パネル１Ｅは、圧縮機４及び室外熱交換器２などの下側に配置され、圧縮機４及び室外熱交換器２を支持する矩形状部材である。底面パネル１Ｅの周縁には、鉛直に立設する周縁部１Ｅ１が形成されている。すなわち、周縁部１Ｅ１は、底面パネル１Ｅの周縁部に形成されたフランジ状の部分である。底面パネル１Ｅの上側には、室外熱交換器２、圧縮機４及び仕切板５などが設けられている。底面パネル１Ｅは、たとえば金属板などから構成される。また、底面パネル１Ｅの下面側には、室外機１００を載置するのに利用される脚部１Ｅ２が設けられている。
【００２５】
（仕切板５）
仕切板５は、圧縮機４及びバルブ７が配置される側と、室外熱交換器２及び送風機３が配置される側とを仕切るように配置されている。すなわち、仕切板５は、圧縮機４が設けられる機械室Ｒ１と、室外熱交換器２、送風機３、及びモーターサポート３Ａなどが設けられる送風機室Ｒ２とを区画するものである。仕切板５は、たとえば、底面パネル１Ｅ上に配置される。そして、仕切板５は、前端部が前面パネル１Ｂに配置され、後端部が室外熱交換器２の端部に固定される。
【００２６】
（圧縮機４）
圧縮機４は、冷媒を吸入し、その冷媒を圧縮して高温・高圧の状態にして吐出するものである。圧縮機４は、冷媒の流れを切り替えて冷房運転及び暖房運転を切り替える四方弁８に配管を介して接続されている。圧縮機４の周囲には、仕切板５、前面パネル１Ｂ、及び固定パネル１Ｆなどが配置されている。なお、圧縮機４の上部には、各種制御などに利用される電気品箱６が設けられている。なお、圧縮機４は、底面パネル１Ｅ上に直接載置されている必要はなく、底面パネル１Ｅに設けた設置台の上に載置されていてもよい。
【００２７】
（室外熱交換器２）
室外熱交換器２は、送風機３によって室外機１００に取り込まれる空気と冷媒との間で熱交換を行わせ、冷房運転時に冷媒を凝縮液化させ、暖房運転時に冷媒を蒸発ガス化させるものである。室外熱交換器２は、たとえば、底面パネル１Ｅ上に設けられている。なお、室外熱交換器２は、底面パネル１Ｅ上に直接載置されている必要はなく、底面パネル１Ｅに設けた設置台の上に載置されていてもよい。室外熱交換器２の上部には、モーターサポート３Ａが掛けられるようにして設けられている。室外熱交換器２は、たとえば伝熱管を流れる冷媒とフィンを通過する空気との間で熱交換ができるようなフィンアンドチューブ熱交換器で構成される。
室外熱交換器２は、第１の側面パネル１ＣＣから第２の側面パネル１Ｃに向かう方向に平行に延びる第１の熱交換部２Ａと、曲げられた第２の熱交換部２Ｂと、第１の側面パネル１ＣＣに対向するように設けられた第３の熱交換部２Ｃとを含むものである。第１の熱交換部２Ａと第２の熱交換部２Ｂとが接続されており、第２の熱交換部２Ｂと第３の熱交換部２Ｃとが接続されている。室外熱交換器２の第２の側面パネル１Ｃ側の端部には、たとえば、各種配管及び伝熱管に冷媒を分配するヘッダーなどの冷媒流通部材２０が配置されている。すなわち、冷媒流通部材２０は、第１の熱交換部２Ａの端部側に設けられている。なお、第３の熱交換部２Ｃには、伝熱管が半円状に曲げられたヘアピン２Ｃ１が設けられている。
【００２８】
（固定パネル１Ｆ）
固定パネル１Ｆは、圧縮機４が配置される側の空間（機械室Ｒ１）と、バルブ７が配置される側の空間とを仕切るように構成されているものである。固定パネル１Ｆは、底面パネル１Ｅから天面パネル１Ａにかけて上下方向に延びるように設けられた平板状部材である。なお、カバー１Ｄ及び第２の側面パネル１Ｃも、底面パネル１Ｅから天面パネル１Ａにかけて上下方向に延びるように設けられている。固定パネル１Ｆの一方（前側）の側端部は前面パネル１Ｂの内側面に対向するように位置し、固定パネル１Ｆの他方（後側）の側端部は第２の側面パネル１Ｃの前側端部に沿うように設けられている。固定パネル１Ｆは、前面パネル１Ｂとの間に鋭角が形成されるように設けられている。
【００２９】
（バルブ７）
バルブ７は、固定パネル１Ｆに取り付けられているものである。バルブ７は、細管用バルブ７Ａ及び太管用バルブ７Ｂから構成されている。バルブ７には、冷媒配管Ｐが接続されている。バルブ７は、固定パネル１Ｆの外側面と底面パネル１Ｅの上面とカバー１Ｄの内側面との間に形成される閉空間ＳＰに配置されている。このため、仮に、室外機１００の筐体の内外を接続する冷媒配管Ｐの外側に巻かれる断熱カバーに引火しても、炎が機械室Ｒ１内へ延焼してしまうことを防ぐことができる。つまり、炎が圧縮機４及び室外熱交換器２などに及ぶことを回避することができるようになっている。
【００３０】
（カバー１Ｄ）
カバー１Ｄは、底面パネル１Ｅの周縁部１Ｅ１上に配置され、バルブ７を覆うように固定パネル１Ｆの対向位置に着脱自在に設けられたものである。カバー１Ｄは、底面パネル１Ｅの角部Ｃに対応する位置に取り付けられるものである。カバー１Ｄは、室外機１００の筐体のうちの前面の一部及び右側面の一部を構成する。カバー１Ｄは、水平断面視形状が、Ｌ字状となっている。カバー１Ｄは、上下方向に延びるように設けられている。カバー１Ｄは、前面パネル１Ｂに平行に設けられる前面部１Ｄ１と、前面部１Ｄ１に直交する側面部１Ｄ２と、バルブ７に接続される冷媒配管Ｐを引き出すのに利用される引出部１Ｄ３とを含むものである。カバー１Ｄは、前面部１Ｄ１、側面部１Ｄ２及び引出部１Ｄ３が一体的に形成されたものである。カバー１Ｄは、たとえば、樹脂などで構成してもよいし、金属板などで構成してもよい。
【００３１】
前面部１Ｄ１は、底面パネル１Ｅから天面パネル１Ａまで延びるように形成された平板状部材である。前面部１Ｄ１の左側の側端部は、前面パネル１Ｂの右側端部に沿って設けられている。また、前面部１Ｄ１の右側の側端部は、側面部１Ｄ２に接続されている。
側面部１Ｄ２は、第２の側面パネル１Ｃの外表面に沿うように設けられた平板状部材である。側面部１Ｄ２は、底面パネル１Ｅから天面パネル１Ａまで延びるように形成された平板状部材である。側面部１Ｄ２の後側の側端部には、バルブ７の高さ位置に、引出部１Ｄ３が形成されている。
引出部１Ｄ３は、側面部１Ｄ２よりも右側に突出するように形成されているものである。したがって、カバー１Ｄの側面は、引出部１Ｄ３の形成部分が段差状になっている。仮に、カバー１Ｄに引出部１Ｄ３が形成されていないと、冷媒配管Ｐの引出は容易であるが、雨水などが室外機１００の筐体内に侵入してしまう。しかし、カバー１Ｄには、側面部１Ｄ２よりも突出している引出部１Ｄ３が形成されているため、冷媒配管Ｐとの干渉を回避しながらも、雨水などが室外機１００の筐体内に侵入することを抑制することができるようになっている。
【００３２】
［本実施の形態に係る室外機１００の有する効果］  
本実施の形態に係る室外機１００は、周面パネル（前面パネル１Ｂ及び第２の側面パネル１Ｃ）の内側に位置するように底面パネル１Ｅの角部Ｃに配置され、底面パネル１Ｅに立設する固定パネル１Ｆと、固定パネル１Ｆに固定され、冷媒配管Ｐが接続されるバルブ７とを備えたものである。このため、バルブ７が室外機１００の底面パネル１Ｅの周縁部１Ｅ１よりも内側に位置することになる。つまり、室外機１００では、従来の室外機のようにバルブが室外機の筐体の外側から飛び出してしまうようなことを回避することができる。したがって、本実施の形態に係る室外機１００は、サイズを小さくすることができる。
【００３３】
本実施の形態に係る室外機１００は、固定パネル１Ｆが、底面パネル１Ｅの角部Ｃに設けられるため、室外機１００内の各種配管などの邪魔になることを回避することができ、室外機１００内の限られたスペースを有効活用することができる。
【００３４】
本実施の形態に係る室外機１００は、固定パネル１Ｆにバルブ７が設けられているため、仮に室外機１００の筐体の内外を接続する冷媒配管Ｐの外側に巻かれる断熱カバーに引火しても、炎が機械室Ｒ１内へ延焼してしまうことを防ぐことができる。
【００３５】
［変形例１］
図３Ａは、本実施の形態に係る室外機１００の変形例１の斜視図である。図３Ｂは、図３Ａに示す変形例１に係る室外機１００を分解した状態の斜視図である。図３Ｃは、変形例２に係る室外機１００の水平断面図である。図３Ｄは、変形例２に係る室外機１００のカバー１Ｄを外した状態における説明図である。なお、図３Ｄ（ａ）は、変形例１に係る室外機１００の正面図であり、図３Ｄ（ｂ）は、変形例１に係る室外機１００の右側面図であり、図３Ｄ（ｃ）は、変形例１に係る室外機１００の斜視図である。変形例１では、本実施の形態とは異なり、固定パネル１Ｆの高さが天面パネル１Ａまで至っていない。
【００３６】
変形例１において前面パネル１Ｂは、第２の側面パネル１Ｃ側の端部の下側に、前面切欠部１ＢＨが形成されている。また、第２の側面パネル１Ｃは、前面パネル１Ｂ側である前側の側端部の下側に、側面切欠部１ＣＨが形成されている。また、固定パネル１Ｆは、底面パネル１Ｅ側から前面切欠部１ＢＨ及び側面切欠部１ＣＨの上端の高さ位置まで延びるように設けられている。そして、カバー１Ｄは、前面切欠部１ＢＨ及び側面切欠部１ＣＨに設けられている。
【００３７】
変形例１では、固定パネル１Ｆの高さが天面パネル１Ａまで至っていないため、屋根パネル１ＦＦが設けられている。屋根パネル１ＦＦは、固定パネル１Ｆの上端部、前面切欠部１ＢＨ及び側面切欠部１ＣＨに接続され、バルブ７の上側に配置されたものである。屋根パネル１ＦＦは、たとえば、三角形形状の板状部材で構成することができる。屋根パネル１ＦＦは、頂点の下側に、底面パネル１Ｅの角部Ｃの頂点部分がくるように配置されている。ここでいう、屋根パネル１ＦＦの頂点とは、前面パネル１Ｂの右側の側端部の角及び第２の側面パネル１Ｃの前側の側端部の角に位置しているものである。ここでは、この頂点は、他の２つの頂点よりも角度が大きい。
【００３８】
変形例１では、前面パネル１Ｂの左側の側端部と第２の側面パネル１Ｃの前側の側端部とが沿うように設けられている。なお、前面切欠部１ＢＨ及び側面切欠部１ＣＨの形成位置においては、前面パネル１Ｂと第２の側面パネル１Ｃとは離れている。
【００３９】
［変形例１に係る室外機１００の有する効果］
変形例１に係る室外機１００は、本実施の形態に係る室外機１００と同様の効果を有することに加えて、機械室Ｒ１の容積を大きくすることができ、室外機１００内の限られたスペースを有効活用しやすいという効果がある。
【００４０】
［変形例２］
図４Ａは、本実施の形態に係る室外機１００の変形例２の斜視図である。図４Ｂは、図４Ａに示す変形例２に係る室外機１００を分解した状態の斜視図である。図４Ｃは、変形例２に係る室外機１００の水平断面図である。図４Ｄは、変形例２に係る室外機１００のカバー１Ｄを外した状態における説明図である。図４Ｅは、変形例２に係る室外機１００の説明図であって、カバー１Ｄを取り付けている状態における説明図である。なお、図４Ｄ（ａ）は、変形例２に係る室外機１００の正面図であり、図４Ｄ（ｂ）は、変形例２に係る室外機１００の右側面図であり、図４Ｄ（ｃ）は、変形例２に係る室外機１００の上面視図である。変形例２では、室外熱交換器２の端部に第１の突出部Ｊが形成されており、室外熱交換器２の横幅を大きくしながらも、室外機１００の大型化を抑制することができるものとなっている。
【００４１】
変形例２において、底面パネル１Ｅは、第２の側面パネル１Ｃが設けられている周縁部１Ｅ１に形成され、水平方向に突出する第１の突出部Ｊを含む。この第１の突出部Ｊは、室外熱交換器２の第１の熱交換部２Ａの端部に対応する部分に形成され、水平方向に突出するものである。また、第１の突出部Ｊの縁部は、底面パネル１Ｅのうちバルブ７の下側に位置する部分に向かうテーパー面Ｊ１が形成されている。このため、第２の側面パネル１Ｃも、底面パネル１Ｅの第１の突出部Ｊの形状に対応するように形成されている。すなわち、第２の側面パネル１Ｃは、第１の突出部Ｊの縁部に沿うように形成されたものであり、テーパー面Ｊ１に平行なテーパー面が形成されている。
【００４２】
また、変形例２において、カバー１Ｄには、電気品箱６に接続される端子台などの取付部分Ｑを覆うように形成された端子台保護部１Ｄ４が形成されている。端子台保護部１Ｄ４は、引出部１Ｄ３と同じ平面上に形成されており、側面部１Ｄ２よりも右側に突出した位置に形成されている。端子台保護部１Ｄ４は、下端が引出部１Ｄ３の上端に接続されている。また、端子台保護部１Ｄ４は、下側の側端部が側面部１Ｄ２に接続されている。このように、変形例２において、カバー１Ｄは、前面部１Ｄ１、側面部１Ｄ２、引出部１Ｄ３及び端子台保護部１Ｄ４が一体的に形成されたものである。この変形例２において、カバー１Ｄは、バルブ７だけでなく、端子台も保護することができるようになっている。
【００４３】
［変形例２に係る室外機１００の有する効果］
変形例２に係る室外機１００は、本実施の形態に係る室外機１００と同様の効果を有することに加えて、次の効果を有する。すなわち、変形例２に係る室外機１００では、室外熱交換器２の端部に第１の突出部Ｊが形成されており、室外熱交換器２の横幅を大きくしながらも、室外機１００の大型化を抑制することができるものとなっている。
また、変形例２に係る室外機１００では、第２の側面パネル１Ｃにもテーパー面Ｊ１に平行なテーパー面が形成されているため、冷媒配管Ｐを側面に沿わせて配置することができる。このため、冷媒配管Ｐが邪魔になることを回避するとともに、冷媒配管Ｐが破損などをすることを抑制することができる。
【００４４】
［変形例３］
図５Ａは、本実施の形態に係る室外機１００の変形例３の正面図である。図５Ｂは、変形例３に係る室外機１００の水平断面図である。図５Ｃは、図５Ｂに示す領域Ｂの拡大図である。図５Ｄは、変形例３に係る室外機１００のカバー１Ｄを外した状態における説明図である。なお、図５Ｄ（ａ）は、変形例３に係る室外機１００の斜視図であり、図５Ｄ（ｂ）は、変形例３に係る室外機１００の上面視図である。変形例３では、バルブ７の配置位置に第２の突出部Ｚを形成して、機械室Ｒ１の容積を拡大している。
【００４５】
変形例３において、底面パネル１Ｅは、固定パネル１Ｆが設けられている側の周縁部１Ｅ１に形成され、水平方向の前側に突出する第２の突出部Ｚを含むものである。そして、バルブ７は、第２の突出部Ｚの上側に配置されている。第２の突出部Ｚの前端は、脚部１Ｅ２の前端よりも突出しないように設けられているものである。すなわち、第２の突出部Ｚの前端は、脚部１Ｅ２の前端よりも、室外機１００の筐体の前後方向における後側に配置されている。
【００４６】
［変形例３に係る室外機１００の有する効果］
変形例３に係る室外機１００は、本実施の形態に係る室外機１００と同様の効果を有することに加えて、次の効果を有する。すなわち、変形例３に係る室外機１００では、第２の突出部Ｚの上側にバルブ７が配置されるようにしたので、その分、機械室Ｒ１の容積を増大させることができ、室外機１００内の限られたスペースを有効活用することができる。
また、変形例３に係る室外機１００は、第２の突出部Ｚの前端が、脚部１Ｅ２の前端よりも突出しないように設けられているので、室外機１００の輸送効率を悪化させずに、機械室を拡大することができるという効果がある。
さらに、変形例３に係る室外機１００は、底面パネル１Ｅに第２の突出部Ｚを形成し、その第２の突出部Ｚの形成位置にバルブ７が設けられた固定パネル１Ｆが配置されている。室外機１００を設置したときにおいて、第２の突出部Ｚの形成位置は、室外機１００の前面部にあたり、風路を形成するデッドスペースとなっている。このため、第２の突出部Ｚを形成した室外機１００を設置しても、室外機１００が設置されたスペース（ベランダなど）の利用がしにくくなることを回避することができる。
【００４７】
本実施の形態１の構成と、変形例１〜変形例３の構成とを適宜組み合わせてもよい。
【符号の説明】
【００４８】
１Ａ  天面パネル、１Ｂ  前面パネル、１Ｂ１  開口部、１Ｂ２  ファングリル、１ＢＨ  前面切欠部、１Ｃ  第２の側面パネル、１ＣＣ  第１の側面パネル、１ＣＨ  側面切欠部、１ＣＴ  テーパー面、１Ｄ  カバー、１Ｄ１  前面部、１Ｄ２  側面部、１Ｄ３  引出部、１Ｄ４  端子台保護部、１Ｅ  底面パネル、１Ｅ１  周縁部、１Ｅ２  脚部、１Ｆ  固定パネル、１ＦＦ  屋根パネル、２  室外熱交換器、２Ａ  第１の熱交換部、２Ｂ  第２の熱交換部、２Ｃ  第３の熱交換部、２Ｃ１  ヘアピン、３  送風機、３Ａ  モーターサポート、４  圧縮機、５  仕切板、６  電気品箱、７  バルブ、７Ａ  細管用バルブ、７Ｂ  太管用バルブ、８  四方弁、９  絞り装置、２０  冷媒流通部材、１００  室外機、１５０  室内機、１５１  室内熱交換器、１５２  送風機、２００  空気調和装置、Ｂ  領域、Ｃ  角部、Ｊ  第１の突出部、Ｊ１  テーパー面、Ｐ  冷媒配管、Ｑ  取付部分、Ｒ１  機械室、Ｒ２  送風機室、ＳＰ  閉空間、Ｚ  第２の突出部。
【図１】
2016103441.tif 000003
【図２Ａ】
2016103441.tif 000004
【図２Ｂ】
2016103441.tif 000005
【図２Ｃ】
2016103441.tif 000006
【図２Ｄ】
2016103441.tif 000007
【図３Ａ】
2016103441.tif 000008
【図３Ｂ】
2016103441.tif 000009
【図３Ｃ】
2016103441.tif 000010
【図３Ｄ】
2016103441.tif 000011
【図４Ａ】
2016103441.tif 000012
【図４Ｂ】
2016103441.tif 000013
【図４Ｃ】
2016103441.tif 000014
【図４Ｄ】
2016103441.tif 000015
【図４Ｅ】
2016103441.tif 000016
【図５Ａ】
2016103441.tif 000017
【図５Ｂ】
2016103441.tif 000018
【図５Ｃ】
2016103441.tif 000019
【図５Ｄ】
2016103441.tif 000020
【国際調査報告】
2016103441.tif 000021
2016103441.tif 000022
2016103441.tif 000023
2016103441.tif 000024